(57)【要約】【課題】様々な使用目的及び設置環境に対して適応することが可能なコンソールユニットの提供。【解決手段】電気配線及び配管用の接続ポートを備えた組立式コンソールユニットにおいて、内部配線され端面にジョイントが形成された、長尺偏平立方体状の直柱ユニットと、内部配線され、直柱ユニットと同幅・同厚でその端面に前記直柱ユニットの端面のジョイントと接続可能な形状のジョイントが形成され、直角に湾曲する偏平湾曲六面体状のコーナー・ユニットと、をそれぞれ少なくとも一つ備えた。直柱ユニット内の配線とコーナー・ユニットの配線とは、互いに各ジョイントにより接続した場合に電気的に接続されるものであり、直柱ユニット又はコーナー・ユニットの端面以外の何れかの面には、内部の配線に接続するコンセントが配設されている。【選択図】図１
2018068393.tif 000002
【特許請求の範囲】
【請求項１】
電気配線及び配管用の接続ポートを備えた組立式コンソールユニットであって、
内部に配線がされ、端面にジョイントが形成された、長尺偏平立方体状の直柱ユニットと、
内部に配線がされ、前記直柱ユニットと同幅及び同厚で且つその端面に前記直柱ユニットの端面のジョイントと接続可能な形状のジョイントが形成され、直角に湾曲する偏平湾曲六面体状のコーナー・ユニットと、をそれぞれ少なくとも一つ備え、
前記直柱ユニット内の配線と前記コーナー・ユニットの配線とは、互いに前記各ジョイントにより接続した場合に電気的に接続されるものであり、
前記直柱ユニット又は前記コーナー・ユニットの端面以外の何れかの面には、内部の配線に接続するコンセントが配設されていることを特徴とする組立式コンソールユニット。
【発明の詳細な説明】
【技術分野】
【０００１】
本発明は、主に病院内の医用室やロビーにおいて用いられ、室内に立て置いて設置され、配管、配線、室内空間へのスライドレールやモニタの設置等に使用することができる多目的な組立式コンソールユニットに関する。
【背景技術】
【０００２】
病院の医用室内における配線・配管を目的とするコンソールユニットとしては、例えば、特許文献１〜７のものが公知である。
【先行技術文献】
【特許文献】
【０００３】
【特許文献１】特表平６−５０９９５１号公報
【特許文献２】特表２００８−５０１４１８号公報
【特許文献３】特表２００５−５１５８００号公報
【特許文献４】特表２００８−５０１４２１号公報
【特許文献５】実用新案登録第２５９６３９６号明細書
【特許文献６】特表平１０−５０８７７０号公報
【特許文献７】実用新案登録第２５９６３９６号明細書
【発明の概要】
【発明が解決しようとする課題】
【０００４】
病院内に於いてコンソールユニットを使用する目的は様々であり、またコンソールユニットを設置する室内のレイアウトや形状も様々である。上記従来のコンソールユニットは、このような様々な使用目的及び設置環境に対して適応することが難しいという問題がある。
【０００５】
そこで、本発明は、様々な使用目的及び設置環境に対して適応することが可能なコンソールユニットを提供することにある。
【課題を解決するための手段】
【０００６】
本発明のコンソールユニットは、電気配線及び配管用の接続ポートを備えた組立式コンソールユニットであって、
内部に配線がされ、端面にジョイントが形成された、長尺偏平立方体状の直柱ユニットと、
内部に配線がされ、前記直柱ユニットと同幅及び同厚で且つその端面に前記直柱ユニットの端面のジョイントと接続可能な形状のジョイントが形成され、直角に湾曲する偏平湾曲六面体状のコーナー・ユニットと、をそれぞれ少なくとも一つ備え、
前記直柱ユニット内の配線と前記コーナー・ユニットの配線とは、互いに前記各ジョイントにより接続した場合に電気的に接続されるものであり、
前記直柱ユニット又は前記コーナー・ユニットの端面以外の何れかの面には、内部の配線に接続するコンセントが配設されていることを特徴とする。
【０００７】
これにより、直柱ユニット、コーナー・ユニットを組み合わせてジョイントにより接続することによって、様々な使用目的及び設置環境に対して適応させることが出来る。
【発明の効果】
【０００８】
以上のように、本発明によれば、直柱ユニット、コーナー・ユニットを組み合わせてジョイントにより接続することによって、様々な使用目的及び設置環境に対して適応させることが出来る組立式コンソールユニットを提供することが出来る。
【図面の簡単な説明】
【０００９】
【図１】本発明の実施例１に係る組立式コンソールユニットの分解斜視図である。
【図２】図１の組立式コンソールユニットを組み立てた状態における斜視図である。
【図３】図２の組み立て状態の組立式コンソールユニットの（ａ）右側方から視た側面図及び（ｂ）上方から視た平面図である。
【図４】図２の組み立て状態の組立式コンソールユニットの内側を表す斜視図である。
【図５】図２の組み立て状態の組立式コンソールユニットの患者運搬用の抱持シートを吊した状態を示す正面図である。
【図６】図２の組み立て状態の組立式コンソールユニットの平面図である。
【図７】図２の組み立て状態の組立式コンソールユニットの右側面図である。
【図８】ベース・パーツを構成する直柱ユニット２ｌ，２ｒの（ａ）正面図，（ｂ）背面図，（ｃ）左側面図，（ｄ）右側面図，（ｅ）平面図，（ｆ）底面図，（ｇ）左斜め上前方から視た斜視図である。
【図９】コーナー・パーツを構成するコーナー・ユニット４ｌ，４ｒの（ａ）正面図，（ｂ）背面図，（ｃ）左側面図，（ｄ）右側面図，（ｅ）平面図，（ｆ）底面図，（ｇ）左斜め上前方から視た斜視図，（ｈ）左斜め下前方から視た分解斜視図である。
【図１０】梁パーツを構成する直柱ユニット８ｌ，８ｒの（ａ）正面図，（ｂ）背面図，（ｃ）左側面図，（ｄ）右側面図，（ｅ）平面図，（ｆ）底面図，（ｇ）左斜め上前方から視た斜視図，（ｈ）左斜め上前方から視た分解斜視図，（ｉ）右斜め上後方から視た分解斜視図である。
【図１１】梁パーツを構成する直柱ユニット８ｃの（ａ）正面図，（ｂ）背面図，（ｃ）左側面図，（ｄ）右側面図，（ｅ）平面図，（ｆ）底面図，（ｇ）左斜め上前方から視た斜視図，（ｈ）左斜め上前方から視た分解斜視図，（ｉ）右斜め上後方から視た分解斜視図である。
【図１２】本発明の実施例２に係る組立式コンソールユニットの斜視図である。
【図１３】本発明の実施例３に係る組立式コンソールユニットの斜視図である。
【図１４】梁パーツを構成する直柱ユニット１３ｃの（ａ）正面図，（ｂ）背面図，（ｃ）左側面図，（ｄ）右側面図，（ｅ）平面図，（ｆ）底面図，（ｇ）左斜め上前方から視た斜視図，（ｈ）左斜め上前方から視た分解斜視図，（ｉ）右斜め上後方から視た分解斜視図である。
【図１５】本発明の実施例４に係る組立式コンソールユニットの斜視図である。
【図１６】本発明の実施例５に係る組立式コンソールユニットの斜視図である。
【図１７】本発明の実施例６に係る組立式コンソールユニットの斜視図である。
【発明を実施するための形態】
【００１０】
以下、本発明を実施するための形態について、図面を参照しながら説明する。
【実施例１】
【００１１】
図１は、本発明の実施例１に係る組立式コンソールユニットの分解斜視図である。図２は、図１の組立式コンソールユニットを組み立てた状態における斜視図である。図３は、図２の組み立て状態の組立式コンソールユニットの（ａ）右側方から視た側面図及び（ｂ）上方から視た平面図である。図４は、図２の組み立て状態の組立式コンソールユニットの内側を表す斜視図である。図５は、図２の組み立て状態の組立式コンソールユニットの患者運搬用の抱持シートを吊した状態を示す正面図である。図５は、図２の組み立て状態の組立式コンソールユニットの平面図である。図７は、図２の組み立て状態の組立式コンソールユニットの右側面図である。図８は、ベース・パーツを構成する直柱ユニット２ｌ，２ｒの（ａ）正面図，（ｂ）背面図，（ｃ）左側面図，（ｄ）右側面図，（ｅ）平面図，（ｆ）底面図，（ｇ）左斜め上前方から視た斜視図である。図９は、コーナー・パーツを構成するコーナー・ユニット４ｌ，４ｒの（ａ）正面図，（ｂ）背面図，（ｃ）左側面図，（ｄ）右側面図，（ｅ）平面図，（ｆ）底面図，（ｇ）左斜め上前方から視た斜視図，（ｈ）左斜め下前方から視た分解斜視図である。図１０は、梁パーツを構成する直柱ユニット８ｌ，８ｒの（ａ）正面図，（ｂ）背面図，（ｃ）左側面図，（ｄ）右側面図，（ｅ）平面図，（ｆ）底面図，（ｇ）左斜め上前方から視た斜視図，（ｈ）左斜め上前方から視た分解斜視図，（ｉ）右斜め上後方から視た分解斜視図である。図１１は、梁パーツを構成する直柱ユニット８ｃの（ａ）正面図，（ｂ）背面図，（ｃ）左側面図，（ｄ）右側面図，（ｅ）平面図，（ｆ）底面図，（ｇ）左斜め上前方から視た斜視図，（ｈ）左斜め上前方から視た分解斜視図，（ｉ）右斜め上後方から視た分解斜視図である。
【００１２】
本実施例の組立式コンソールユニットは、病院における病室、処置室、ＩＣＵ等の医用室内に置かれたベッドの周囲に設置され、該ベッド側部に電気配線や各種配管の接続ジョイントを配置するとともに、該ベッド上部にモニタや患者を吊下運搬するリフト等の付属機器を吊設するための天井スライドレールを配設するために使用される。
【００１３】
図１乃至図７において、組立式コンソールユニット１は、直柱ユニット２ｌ，２ｒ，３ｌ，３ｒ，８，９、コーナー・ユニット４ｌ，４ｒ，５ｌ，５ｒ，７、ベッド嵌着ユニット６を備えている。直柱ユニット２ｌ，２ｒ，３ｌ，３ｒは、組立式コンソールユニット１の柱部を構成するベース・パーツを成す。直柱ユニット８，９は、組立式コンソールユニット１の梁部を構成する梁パーツを成す。コーナー・ユニット４ｌ，４ｒ，５ｌ，５ｒ，７は、組立式コンソールユニット１の柱部と梁部とを接続するコーナー・パーツを成す。
【００１４】
直柱ユニット２ｌ，２ｒ，３ｌ，３ｒ，８，９、コーナー・ユニット４ｌ，４ｒ，５ｌ，５ｒ，７、ベッド嵌着ユニット６は、内部に配線・配管を行うための空洞が形成されている。
【００１５】
直柱ユニット２ｌ，２ｒは、図８に示したように、６面体長尺偏平箱状をなしている。直柱ユニット２ｌ，２ｒは、上端部及び下端部が開口し、上端部の４隅には、コーナー・ユニット４ｌ，４ｒと結合するジョイント金具２１，２１，２１，２１が配設されている。各ジョイント２１はメス型ジョイントであり、オス型ジョイントと結合するための円形孔を有する。
【００１６】
コーナー・ユニット４ｌ，４ｒは、図９に示したように、直角に湾曲した６面体偏平箱状をなしている。コーナー・ユニット４ｌ，４ｒは、両端部が開口しており、各端部の４隅には、ジョイント金具２２，２２，２２，２２及びジョイント金具２３，２３，２３，２３が取り付けられている。ジョイント金具２２，２３は同型である。ジョイント金具２２，２３は、オス型ジョイントであり、各ジョイント金具２２は直柱ユニット２ｌ，２ｒのジョイント金具２１と嵌合する。また、各ジョイント金具２２，２３は、コーナー・ユニット４ｌ，４ｒの骨格を成す内部フレーム３０に着脱自在に取り付けられており、図１０（ｈ），（ｉ）に示したようなメス型のジョイント金具２４，２５と交換することも可能とされている。
【００１７】
直柱ユニット８は、図６に示したように、左部，中央部，右部の３つの部分の直柱ユニット８ｌ，８ｃ，８ｒを結合して構成されている。直柱ユニット８ｌ，８ｒは、図１０に示したように、６面体偏平箱状をなしている。直柱ユニット８ｌ，８ｒは、両端部が開口しており、各端部の４隅には、ジョイント金具２４，２４，２４，２４及びジョイント金具２５，２５，２５，２５が取り付けられている。ジョイント金具２４，２５は同型である。ジョイント金具２４，２５はメス型ジョイントであり、各ジョイント金具２４はコーナー・ユニット４ｌ，４ｒのジョイント金具２２と嵌合する。また、各ジョイント金具２４，２５は、直柱ユニット８ｌ，８ｒの骨格を成す内部フレーム３１に着脱自在に取り付けられており、図９（ｈ）に示したようなオス型のジョイント金具２２，２３と交換することも可能とされている。また、底面部には、天井スライドレール１０ｌ，１０ｒを取り付けるための取付孔３２が形成されている。
【００１８】
直柱ユニット８ｃは、図１１に示したように、６面体偏平箱状をなしている。直柱ユニット８ｃは、左右両端部及び全面部が開口しており、左右両端部の４隅には、ジョイント金具２６，２６，２６，２６及びジョイント金具２７，２７，２７，２７が取り付けられている。ジョイント金具２６，２７はジョイント金具２２，２３と同型である。ジョイント金具２６，２７はオス型ジョイントであり、各ジョイント金具２６，２７は直柱ユニット８ｌ，８ｒのジョイント金具２５と嵌合する。また、各ジョイント金具２６，２７は、直柱ユニット８ｃの骨格を成す内部フレーム３３に着脱自在に取り付けられており、図１０（ｈ），（ｉ）に示したようなメス型のジョイント金具２４，２５と交換することも可能とされている。また、内部フレーム３３の前面側の４隅には、直柱ユニット９と結合するためのジョイント孔３４，３４，３４，３４が形成されている。
【００１９】
直柱ユニット９は、図６に示したように、前部及び後部の２つの部分の直柱ユニット９ｆ，９ｒを結合して構成されている。直柱ユニット９ｆ，９ｒは、直柱ユニット８ｌと同様の構造である。但し、直柱ユニット９ｆの前側側面のジョイント金具はオス型とされ、後側側面のジョイント金具はメス型とされている。また、直柱ユニット９ｒの前側側面及び後側側面のジョイント金具はともにオス型とされている。さらに、直柱ユニット９ｆ，９ｒの底面には、天井ボード９ｂを取り付けるための取付孔（図示せず）が形成されている。
【００２０】
直柱ユニット３ｌ，３ｒは、直柱ユニット２ｌ，２ｒと同様の構造であるが、直柱ユニット３ｌ，３ｒは直柱ユニット２ｌ，２ｒよりも幅狭とされている。また、直柱ユニット２ｌ，２ｒは内側に面した側面にコーナー・ガードが取り付けられているが、直柱ユニット３ｌ，３ｒは、コーナー・ガードが省略されている。
【００２１】
コーナー・ユニット５ｌ，５ｒは、図６に示したように、コーナー・ユニット５ｌａ，５ｌｂと直柱ユニット５ｒａ，５ｒｂとを結合して構成されている。コーナー・ユニット５ｌａ，５ｌｂは、コーナー・ユニット４ｌ，４ｒと同様の構造であるが、コーナー・ユニット５ｌａ，５ｌｂはコーナー・ユニット４ｌ，４ｒよりも幅狭とされている。また、直柱ユニット５ｒａ，５ｒｂは、直柱ユニット８ｌ，８ｒと同様の構造であるが、直柱ユニット５ｒａ，５ｒｂは直柱ユニット８ｌ，８ｒよりも幅狭とされている。また、コーナー・ユニット４ｌ，４ｒ及び直柱ユニット８ｌ，８ｒは内側に面した側面にコーナー・ガードが取り付けられているが、コーナー・ユニット５ｌａ，５ｌｂ及び直柱ユニット５ｒａ，５ｒｂは、コーナー・ガードが省略されている。
【００２２】
コーナー・ユニット７は、コーナー・ユニット４ｌ，４ｒと同様の構造である。但し、コーナー・ユニット７の内側側面には、カバー部材で被覆されている。
【００２３】
ベッド嵌着ユニット６は、倒Ｕ字型のベッド嵌着部６ａと冂字側の柱部６ｂとを結合して構成されている。ベッド嵌着部６ａは、ベッドＢの頭側が遊嵌合可能なサイズに構成されている。
【００２４】
天井スライドレール１０ｌ，１０ｒは、直柱ユニット８ｌ，８ｒの下面とコーナー・ユニット５ｌ，５ｒの下面の間に平行に固定装着されている。天井スライドレール１０ｌ，１０ｒは、下面側に開口するスライド溝を有する。天井スライドレール１１は、天井スライドレール１０ｌ，１０ｒと直交し、天井スライドレール１０ｌ，１０ｒの下面のスライド溝に摺動自在に装着されている。天井スライドレール１１は、下面側に開口するスライド溝を有する。天井スライダ１２は天井スライドレール１１下面のスライド溝に摺動自在に装着されている。天井スライダ１２の下部には懸吊用フック１２ａが接続されている。この懸吊用フック１２ａに、抱持シート１２ｂを掛下して、図５に示したように、患者Ｐをつり上げてベッドＢに揚げ下ろしすることができる。また、天井スライダ１２には、モニタや天井等などの各種機器を接続することも可能である。
【００２５】
また、図示していないが、直柱ユニット２ｌ，２ｒ，３ｌ，３ｒ及びベッド嵌着ユニット６には、コンセントや配管接続用の接続ポートを配設することができ、各直柱ユニット２ｌ，２ｒ，３ｌ，３ｒ，８，９、コーナー・ユニット４ｌ，４ｒ，５ｌ，５ｒ，７、及びベッド嵌着ユニット６の内部空間を通して配線・配管導入口９ａへ配線又は配管を行い、部屋の天井の配線又は配管と接続可能とされている。
【００２６】
このように、本実施例の組立式コンソールユニット１は、直柱ユニット２ｌ，２ｒ，３ｌ，３ｒ，８，９、コーナー・ユニット４ｌ，４ｒ，５ｌ，５ｒ，７、ベッド嵌着ユニット６を、単位ユニットを組合わせてジョイント金具で結合して構成する構成としたことによって、組合わせるユニット数やユニット・サイズを変えることで、様々な部屋の広さや様々な使用目的に応じて、自由なサイズに構成することができる。また、室内に立て置きして設置することが出来るため、室内を改造する設置工事の必要が無く、容易に設置することが可能である。
【実施例２】
【００２７】
図１２は、本発明の実施例２に係る組立式コンソールユニットの斜視図である。図１２において、本実施例の組立式コンソールユニット１は、ベース・パーツを成す３つの直柱ユニット２、コーナー・パーツを成す３つのコーナー・ユニット４、及び梁パーツを成す直柱ユニット８，９をジョイント金具で接続することによって構成されている。各直柱ユニット２は、実施例１の直柱ユニット２ｌ，２ｒと同様のものである。各コーナー・ユニット４は、実施例１のコーナー・ユニット４ｌ，４ｒと同様のものである。また、Ｔ字型に結合された直柱ユニット８，９は実施例１の直柱ユニット８，９と同様のものである。このように、部屋の広さに応じてユニットの組み合わせを変えることで、自由な大きさの組立式コンソールユニット１を構成することが出来る。
【実施例３】
【００２８】
図１３は、本発明の実施例３に係る組立式コンソールユニットの斜視図である。図１３において、本実施例の組立式コンソールユニット１は、ベース・パーツを成す１つの直柱ユニット２、コーナー・パーツを成す１つのコーナー・ユニット４、及び梁パーツを成す１つの直柱ユニット１３をジョイント金具で接続することによって構成されている。直柱ユニット２は、実施例１の直柱ユニット２ｌ，２ｒと同様のものである。コーナー・ユニット４は、実施例１のコーナー・ユニット４ｌ，４ｒと同様のものである。直柱ユニット１３は、図１４に示したようなものである。直柱ユニット１３は、基本的には図１０に示した直柱ユニット８ｌ，８ｒと同様の構成をしているが、長さが異なる点と、一端面が開口し他端面が端末キャップ３５によって閉塞されている点が相違している。尚、端末キャップ３５は、図１４（ｈ），（ｉ）に示したように、４隅に設けられたジョイント金具３５ａ，３５ａ，３５ａ，３５ａによって、直柱ユニット１３の骨格を成す内部フレーム３３に着脱自在に取り付けられており、ジョイント金具３５ａは、ジョイント金具２４と同様の形状のものである。従って、端末キャップ３５を外してジョイント金具２５，２５，２５，２５に取り替えれば、図１０に示した直柱ユニット８ｌ，８ｒと同様に中間梁部材として使用する琴も可能となっている。
【実施例４】
【００２９】
図１５は、本発明の実施例４に係る組立式コンソールユニットの斜視図である。図１５において、本実施例の組立式コンソールユニット１は、ベース・パーツを成す２つの直柱ユニット２，２、コーナー・パーツを成す２つのコーナー・ユニット４，４、及び梁パーツを成す１つの直柱ユニット１３をジョイント金具でアーチ状に接続することによって構成されている。直柱ユニット２，１３及びコーナー・ユニット４は実施例３と同様のものである。本実施例の組立式コンソールユニット１は、病院の待合室などにおいて用いられる。組立式コンソールユニット１のアーチ内にの床には、ベンチＣが設置されており、梁パーツを成す直柱ユニット１３には、テレビのディスレレイＤが吊設されている。
【実施例５】
【００３０】
図１６は、本発明の実施例４に係る組立式コンソールユニットの斜視図である。図１６において、本実施例の組立式コンソールユニット１は、１つのコーナー・ユニット４及び１つの直柱ユニット１３をジョイント金具でアーチ状に接続することによって構成されている。コーナー・ユニット４の一端は直柱ユニット１３と接続され、他端は図１４（ｈ），（ｉ）に示したような端末キャップ３５によって閉塞されている。本実施例の組立式コンソールユニット１は、一般病棟で使用され、各病床（ベッド）Ｂの周囲に配線や配管を行うとともに、各ベッドＢ間の仕切りとして使用される。尚、図１６において、ベッドＢの隣には、医療機器Ｅは載置されている。
【実施例６】
【００３１】
図１７は、本発明の実施例４に係る組立式コンソールユニットの斜視図である。図１６において、本実施例の組立式コンソールユニット１は、ベース・パーツを成す直柱ユニット１４，３、コーナー・パーツを成す１つのコーナー・ユニット５、及び梁パーツを成す１つの直柱ユニット１５をジョイント金具でアーチ状に接続することによって構成されている。直柱ユニット３は、実施例１の直柱ユニット３ｌ，３ｒと同様のものであり、コーナー・ユニット５は、実施例１のコーナー・ユニット５ｌ，５ｒと同様のものである。また、直柱ユニット１３は直柱ユニット３を２倍の長さとし、上端付近にＴ字状に分岐するためのジョイントを設けたものである。この分岐構造は、図１０，図１１に示した直柱ユニット８の分岐構造と同様に構成されている。また、梁パーツを成す直柱ユニット１５は、直柱ユニット１３を細長くしたものである。本実施例の組立式コンソールユニット１は、新生児室で使用され、アーチ下方に設置された各新生児用ベッドＦの周囲に配線や配管を行うために使用される。
【符号の説明】
【００３２】
１  組立式コンソールユニット
２，２ｌ，２ｒ，３，３ｌ，３ｒ，８，９，１３，１４，１５  直柱ユニット
４，４ｌ，４ｒ，５，５ｌ，５ｒ，７  コーナー・ユニット
５ｌａ，５ｌｂ  コーナー・ユニット
５ｒａ，５ｒｂ  直柱ユニット
６  ベッド嵌着ユニット
６ａ  ベッド嵌着部
６ｂ  柱部
８ｌ，８ｒ，８ｃ  直柱ユニット
９ｆ，９ｒ  直柱ユニット
９ａ  配線・配管導入口
９ｂ  天井ボード
１０ｌ，１０ｒ，１１  天井スライドレール
１２  天井スライダ
１２ａ  懸吊用フック
１２ｂ  抱持シート
２１，２２，２３，２４，２５，２６，２７  ジョイント金具
３０，３１，３３  内部フレーム
３２  取付孔
３４  ジョイント孔
３５  端末キャップ
Ｂ  ベッド
Ｐ  患者
Ｗ  部屋の壁
Ｃ  ベンチ
Ｄ  ディスプレイ
Ｅ  医療機器
Ｆ  新生児用ベッド
【図１】
2018068393.tif 000003
【図２】
2018068393.tif 000004
【図３】
2018068393.tif 000005
【図４】
2018068393.tif 000006
【図５】
2018068393.tif 000007
【図６】
2018068393.tif 000008
【図７】
2018068393.tif 000009
【図８】
2018068393.tif 000010
【図９】
2018068393.tif 000011
【図１０】
2018068393.tif 000012
【図１１】
2018068393.tif 000013
【図１２】
2018068393.tif 000014
【図１３】
2018068393.tif 000015
【図１４】
2018068393.tif 000016
【図１５】
2018068393.tif 000017
【図１６】
2018068393.tif 000018
【図１７】
2018068393.tif 000019